(57)【要約】【課題】本発明は、部品構造が簡易化され、キーの上下移動時の摩擦が少なく、キー全体の高さが低く、専門用補助道具を利用して歯車の組立の量化を実現することができて、手触りが良く、厚さが薄く且つ取付けが易い特徴を有する新型の歯車式のキーボードのキーを提供する。【解決手段】本発明における歯車式のキーボードのキーは、キーキャップと、定位板と、四つの歯車と、弾性体と、薄膜電気回路板及び底板を備え、前記弾性体と前記定位板は前記底板の上に且つ前記キーキャップの下に設置され、前記薄膜電気回路板は前記底板と前記弾性体の間に設置され、前記定位板には四組のベアリングが設置され、前記四つの歯車は該四組のベアリングにそれぞれ取り付けられ、前記キーキャップの底端には少なくとも四つの歯条形の支持面が形成され、該歯条形の支持面は前記四つの歯車と平行且つ噛み合って、キーが上下に移動可能な歯車式構造を形成する。【選択図】図１
2008503006.tif 000002
【特許請求の範囲】
【請求項１】
キーキャップと、定位板と、四つの歯車と、弾性体と、薄膜電気回路板及び底板を備える歯車式のキーボードのキーであって、前記弾性体と前記定位板は前記底板の上、且つ前記キーキャップの下に設置され、前記薄膜電気回路板は前記底板と前記弾性体の間に設置され、前記定位板には四組のベアリングが設置され、前記四つの歯車は該四組のベアリングにそれぞれ取り付けられており、前記キーキャップの底端には少なくとも四つの歯条形の支持面が形成され、該歯条形の支持面は前記四つの歯車と平行し、且つ噛み合って、キーが上下に移動する歯車式構造を形成することを特徴とする歯車式のキーボードのキー。
【請求項２】
前記四つの歯車は四辺形の構造を形成することを特徴とする請求項１記載の歯車式のキーボードのキー。
【請求項３】
キーキャップと、定位板と、三つの歯車と、弾性体と、薄膜電気回路板及び底板を備える歯車式のキーボードのキーであって、前記弾性体と前記定位板は前記底板の上、且つ前記キーキャップの下に設置され、前記薄膜電気回路板は前記底板と前記弾性体の間に設置され、前記定位板には三組のベアリングが設置され、前記三つの歯車は該三組のベアリングにそれぞれ取り付けられており、前記キーキャップの底端には少なくとも三つの歯条形の支持面が形成され、該歯条形の支持面は前記三つの歯車と平行し、且つ噛み合って、キーが上下に移動する歯車式構造を形成することを特徴とする歯車式のキーボードのキー。
【請求項４】
前記三つの歯車は三角形の構造を形成することを特徴とする請求項３記載の歯車式のキーボードのキー。
【請求項５】
前記歯条形の支持面の下端には位置制限ユニットが形成されていることを特徴とする請求項１又は３のいずれかに記載の歯車式のキーボードのキー。
【請求項６】
前記歯条形の支持面は少なくとも二つの条形の歯に分割されることを特徴とする請求項１又は３のいずれかに記載の歯車式のキーボードのキー。
【発明の詳細な説明】
【技術分野】
【０００１】
本発明はキーボードのキーに関し、特に、コンピュータに使えられるキーボードのキーに関する。
【背景技術】
【０００２】
従来の一般のキーは孔状の構造を採用するが、キーの上下移動を行う時に生じる摩擦力が大きく、更に、キーボード全体の厚さも孔状構造の高さの制限を受けるようになっている。
【０００３】
それで、新型のキーボードはみな鋏式構造を採用し、これに関する内容を特許文献１及び特許文献２に掲示したが、このようなキーは構造が複雑で、量産に適用できない。
【特許文献１】中国特許出願第９９２０８０３０．４号明細書
【特許文献２】中国特許出願第９７２２１４４５．３号明細書
【発明の開示】
【発明が解決しようとする課題】
【０００４】
本発明は、部品構造が簡易化され、キーの上下移動時の摩擦が少なく、キー全体の高さが低く、更に、専門用補助道具を利用して歯車の歩留まり的な組立を実現することができて、手触りが良く、厚さが非常に薄く且つ取付けが易い特徴を有する新型の歯車式のキーボードのキーを提供することを課題とする。
【課題を解決するための手段】
【０００５】
本発明における歯車式のキーボードのキーは、キーキャップと、定位板と、四つの歯車と、弾性体と、薄膜電気回路板及び底板を備え、前記弾性体と前記定位板は前記底板の上に、且つ前記キーキャップの下に設置され、前記薄膜電気回路板は前記底板と前記弾性体の間に設置され、前記定位板には四組のベアリングが設置され、前記四つの歯車は該四組のベアリングにそれぞれ取り付けられ、四辺形の構造を形成し、更に移動することができており、前記キーキャップの底端には少なくとも四つの歯条形の支持面が形成され、該歯条形の支持面と前記四つの歯車は平行し、且つ噛み合って、キーが上下に移動できる歯車式構造を形成することを特徴とする。前記キーキャップを押す時、該キーキャップ下部の四つの歯条形の支持面と前記定位板の四つの歯車は噛み合って平衡作用を発生して、前記キーキャップが大体垂直な角度により上下移動を行うようにして、良好な押し手触りを確保することができる。
【０００６】
前記キーキャップの底端に形成されている四つの歯条形の支持面は、各面の中部を掘らせて、両側辺に歯条を残すことができて、前記歯条形の支持面の歯条と対応している歯車との接触面積を減少させて摩擦力を低減するとともに、前記キーキャップの平衡的なストロークを達することができる。
【０００７】
前記キーキャップの底端に形成されている四つの歯条形の支持面の下部には位置制限ユニットが形成されて、前記キーキャップが前記弾性体の作用により最上端まで移動する時に、位置制限の役割を立つことができる。
【０００８】
更に、本発明における別の歯車式のキーボードのキーは、キーキャップと、定位板と、三つの歯車と、弾性体と、薄膜電気回路板及び底板を備え、前記弾性体と前記定位板は前記底板の上に、且つ前記キーキャップの下に設置され、前記薄膜電気回路板は前記底板と前記弾性体の間に設置され、前記定位板には三組のベアリングが設置され、三角形の構造を形成し、更に移動することができており、前記三つの歯車は該三組のベアリングにそれぞれ取り付けられており、前記キーキャップの底端には少なくとも三つの歯条形の支持面が形成され、該歯条形の支持面と前記三つの歯車は平行し、且つ噛み合って、キーが上下に移動する歯車式構造を形成することを特徴とする。前記キーキャップを押す時、該キーキャップ下部の三つの歯条形の支持面と前記定位板の三つの歯車は噛み合って平衡作用を発生して、前記キーキャップが大体垂直な角度により上下移動を行うようにして、良好な押し手触りを確保することができる。
【０００９】
前記キーキャップの底端に形成されている三つの歯条形の支持面は、各面の中部を掘らせて、両側部に歯条を残すことができて、前記歯条形の支持面の歯条と対応している歯車との接触面積を減少させて摩擦を低減するとともに、前記キーキャップの平衡的なストロークを達することができる。
【００１０】
前記キーキャップの底端に形成されている三つの歯条形の支持面の下部には位置制限ユニットが形成されて、前記キーキャップが前記弾性体の作用により最上端まで移動する時に、位置制限の役割を立つことができる。
【発明の効果】
【００１１】
本発明の歯車式のキーボードのキーは、組み立てが易く、キーストロークの摩擦力が小さく、更に、手触りが良く、非常に薄い厚さを持つキーボードに組立てる特徴を有している。
【発明を実施するための最良の形態】
【００１２】
以下、図面に基づいて、本発明の実施形態を具体的に説明する。
【００１３】
実施形態１
図１及び図２に示すように、本実施形態における歯車式のキーボードのキーはキーキャップ１１と、定位板１５と、四つの歯車１３と、弾性体１６と、薄膜電気回路板１７及び底板１８を備え、前記弾性体１６及び前記定位板１５は前記底板１８の上、且つ前記キーキャップ１１の下に設置され、前記薄膜電気回路板１７は前記底板１８と前記弾性体１６の間に設置され、前記定位板１５には四組のベアリング１４が設置され、前記四つの歯車１３は該四組のベアリング１４にそれぞれ取り付けられて、四辺形の構造を形成し、更に移動することができており、前記キーキャップ１１の底端には少なくとも四つの歯条形の支持面１２が形成され、該歯条形の支持面１２と前記四つの歯車１３は平行し、且つ噛み合って、キーが上下に移動する歯車式構造を形成することを特徴とする。前記キーキャップ１１を押す時、該キーキャップ１１下部の四つの歯条形の支持面１２と前記定位板１５の四つの歯車１３は噛み合って平衡作用を発生して、前記キーキャップ１１が大体垂直な角度により上下移動を行うようにし、良好な押し手触りを確保することができる。前記キーキャップ１１の底端に形成されている四つの歯条形の支持面１２の下部には位置制限ユニット１２１が形成されて、前記キーキャップ１１が前記弾性体１６の作用により最上端まで移動する時に、位置制限の役割を立つことができる。
【００１４】
また、図３に示すように、本実施形態において歯車の噛合面の摩擦力を低減するために、四つの歯条形の支持面１２をそれぞれ中部から分割して、各歯条形の支持面が二つの歯条に分割されるようにし、従って、歯車１３との接触を減少して運行中の摩擦力を低減するようにする。
【００１５】
実施形態２
図４は本発明における三つの歯車を採用した実施形態を示す図である。本実施形態における歯車式のキーボードのキーはキーキャップ１１と、定位板１５と、三つの歯車１３と、弾性体１６と、薄膜電気回路板１７及び底板１８を備え、前記弾性体１６及び前記定位板１５は前記底板１８の上に、且つ前記キーキャップ１１の下に設置され、前記薄膜電気回路板１７は前記底板１８と前記弾性体１６の間に設置され、前記定位板１５には三組のベアリング１４が設置され、前記三つの歯車１３は該三組のベアリング１４にそれぞれ取り付けられて、三角形の構造を形成し、更に移動することができており、前記キーキャップ１１の底端には少なくとも三つの歯条形の支持面１２が形成され、該歯条形の支持面１２と前記三つの歯車１３は平行し、且つ噛み合って、キーが上下に移動する歯車式構造を形成することを特徴とする。前記キーキャップ１１を押す時、該キーキャップ１１下部の三つの歯条形の支持面１２と前記定位板１５の三つの歯車１３は噛み合って平衡作用を発生して、前記キーキャップ１１が大体垂直な角度により上下移動を行うようにして、良好な押し手触りを確保することができる。前記キーキャップ１１の底端に形成されている三つの歯条形の支持面１２の下部には位置制限ユニット１２１が形成されて、前記キーキャップ１１が前記弾性体１６の作用により最上端まで移動する時に、位置制限の役割を立つことができる。
【図面の簡単な説明】
【００１６】
【図１】本発明における四つの歯車を採用した実施形態の分解斜視図である。
【図２】本発明における四つの歯車を採用した実施形態の断面図である。
【図３】本発明の実施形態におけるキーキャップの底端に形成されている歯条形の支持面の中部が掘られてから残した両側部の歯条を示す模式図である。
【図４】本発明における三つの歯車を採用した実施形態の分解斜視図である。
【図１】
2008503006.tif 000003
【図２】
2008503006.tif 000004
【図３】
2008503006.tif 000005
【図４】
2008503006.tif 000006
【国際調査報告】
2008503006.tif 000007
2008503006.tif 000008
2008503006.tif 000009
2008503006.tif 000010